(57)【要約】      （修正有）【課題】自己の体の気になる部位を映し出し、また撮影することができる、安価な簡易型内視鏡を提供する。【解決手段】携帯電話機５のレンズ部５１に装着する簡易型内視鏡１であって、一定の長さの光ファイバー２と、光ファイバーの一端に設置された対物レンズ４１及び、支持パイプ４２を有する対物レンズ部４と光ファイバーの他端に設置された接眼レンズ３１及び携帯電話器のカメラレンズ部に装着させるための装着具を有する接眼レンズ部３と、を具備し、携帯電話機の画像撮影システムを利用して、観察対象部位を前記携帯電話機のディスプレーに映し出すことを特徴とする。【選択図】図３
0003184805.tif 000002
【実用新案登録請求の範囲】
【請求項１】
携帯電話機のレンズ部に装着する簡易型内視鏡であって、
一定の長さの光ファイバーと、
前記光ファイバーの一端に設置された接眼レンズ及び前記携帯電話機のカメラレンズ部に装着させるための装着具を有する接眼レンズ部と、
前記光ファイバーの他端に設置された対物レンズを有する対物レンズ部と、
を具備し、前記携帯電話機の画像撮影システムを利用して、観察対象部位を前記携帯電話機のディスプレーに映し出すことを特徴とする簡易型内視鏡。
【請求項２】
ＬＥＤ光源と前記ＬＥＤ光源のための電池保持具を有し、観察対象部位に光を照射することが可能であることを特徴とする請求項１記載の簡易型内視鏡。
【請求項３】
前記装着具が吸盤であることを特徴とする請求項１又は２記載の簡易型内視鏡。
【請求項４】
前記装着具がバネ付挟み具であることを特徴とする請求項１又は２記載の簡易型内視鏡。
【請求項５】
前記装着具が鋼製スプリングであることを特徴とする請求項１又は２記載の簡易型内視鏡。
【考案の詳細な説明】
【技術分野】
【０００１】
本考案は、携帯電話機のカメラレンズ部分に装着する簡易型内視鏡に関する。
【背景技術】
【０００２】
内視鏡としては、医療用内視鏡、工業用内視鏡が知られているほか、一般消費者向けには、モニター、光ファイバー、カメラを備え、車のエンジンルームや家庭の配管内を観察又は撮影するためのファイバースコープが市販されている。また、近年はＵＳＢ端子を備え、ノート型のパソコンなどに繋いで、大画面で所望の対象物を観察できるものも市販されている。
【０００３】
特許文献１には、狭い配管内を撮影するために小型化したカメラヘッドと照射機構を備える工業用内視鏡が開示されている。
【先行技術文献】
【特許文献】
【０００４】
【特許文献１】特開２０１０−５５０２３号公報
【考案の概要】
【考案が解決しようとする課題】
【０００５】
自己の体の気になる部分、例えば歯の裏側、鼻孔、外耳管、臀部等を観察したいときには、手鏡等を利用するのが一般的であるが、これら所望の部位を拡大して容易に観察することは困難である。また、この目的で医療用内視鏡を入手することは費用の点から現実的ではない。
【０００６】
このため、特許文献１に記載の工業用内視鏡を代表とする市販の内視鏡を購入することが考えられるが、専門的な利用のため、非常に高価なシステムとなっている。
【０００７】
また、近年、車のエンジンルームや家庭の配管内を観察、撮影することを目的とし、パソコンに接続したり、専用モニターを備えたりした簡易型のファイバースコープが一般消費者向けに販売されているが、こちらも比較的に高価なうえ、持運び等の手軽さに欠ける。
【０００８】
本考案は上記問題点に鑑み、今や万人が日常的に所持する携帯電話機のカメラレンズ部に接続し、携帯電話機のディスプレーに自己の体の気になる部位を映し出し、また撮影することができる、安価な簡易型内視鏡を提供することを課題とする。
【課題を解決するための手段】
【０００９】
請求項１記載の考案に係る簡易型内視鏡は、一定の長さの光ファイバーの一端に接眼レンズ部を、他端に対物レンズ部を具備し、装着具によって前記接眼レンズ部を携帯電話機のカメラレンズ部分に装着させ、前記携帯電話機の画像撮影システムを利用して、観察対象部位を前記携帯電話機のディスプレーに映し出すことを特徴とする。
【００１０】
請求項２記載の考案に係る簡易型内視鏡は、請求項１記載の考案に係る簡易型内視鏡にＬＥＤ光源を設置し、暗部の映像を明確にディスプレーに映し出すことを可能とすることを特徴とする。
【００１１】
請求項３の考案に係る簡易型内視鏡は、前記装着具として吸盤を有し、前記接眼レンズ部と前記携帯電話機のカメラレンズ部との接続を前記吸盤によって行うことを特徴とする。
【００１２】
請求項４の考案に係る簡易型内視鏡は、前記装着具としてバネ付挟み具を有し、前記接眼レンズ部と前記携帯電話機のカメラレンズ部との接続を前記バネ付挟み具によって行うことを特徴とする。
【００１３】
請求項５の考案に係る簡易型内視鏡は、前記装着具として鋼製スプリングを有し、前記接眼レンズ部と前記携帯電話機のカメラレンズ部との接続を前記バネ付挟み具によって行うことを特徴とする。
【考案の効果】
【００１４】
本考案に係る簡易型内視鏡の提供により、万人が日常的に所持する携帯電話機とファイバースコープとの組合せという、安価なシステムの構成が可能となり、自己の体の観察困難な部位を、拡大して簡単に観察できるようになる。また、使用を中止した旧型の携帯電話機の再利用といった効果も生ずる。
【図面の簡単な説明】
【００１５】
【図１】装着具に吸盤を使用した簡易型内視鏡の側面図である。
【図２】装着具にバネ付挟み具を使用した簡易型内視鏡の側面図である。
【図３】装着具に鋼製スプリングを使用した簡易型内視鏡の側面図である。
【考案を実施するための形態】
【００１６】
以下、本考案の実施形態を図面を参照して説明する。
【００１７】
本考案に係る簡易型内視鏡１の基本的構成は、長さ１０００ｍｍ程度の光ファイバー２の一端に接眼レンズ３１を有する接眼レンズ部３が設置され、他端には対物レンズ４１と支持パイプ４２を有する対物レンズ部４が設置されている。また、接眼レンズ部３には、接眼レンズ３１と携帯電話機５のカメラレンズ部５１との距離を適度に保ちつつ、簡易型内視鏡１を携帯電話機５のカメラレンズ部５１に装着させるための装着具３３と、接眼レンズ３１の焦点調整ダイヤル３２が設置されている。
【００１８】
対物レンズ部４の対物レンズ４１は、長さ１０ｍｍ程度のステンレス製の支持パイプ４２の先端に、３０度から４５度の仰角を保ちつつ設置されている。
【００１９】
装着具３３には、図１に示すように樹脂製の吸盤３３Ａ、若しくは図２に示すようにバネ付の挟み具３３Ｂ、又は図３に示すように鋼製スプリング３３Ｃを使用することができる。
【００２０】
また、暗部の観察対象部位に光を照射し、より鮮明な映像を得るために、本簡易型内視鏡１には、ＬＥＤ光源３４と、このための電源を収納するための電池保持具３５を具備させることも可能である。使用する電源は、図１乃至図３においては単４型の電池を想定しているが、不図のボタン型電池を使用することもできる。
【００２１】
本簡易型内視鏡１の使い方としては、まず、接眼レンズ部３の吸盤３３Ａ（図１）若しくはバネ付挟み具３３Ｂ（図２）又は鋼製スプリング３３Ｃを使用して、本簡易型内視鏡１の接眼レンズ部３を携帯電話機５のカメラレンズ部５１に装着し、携帯電話機５のカメラ機能をオンにする。次に、本簡易型内視鏡１の対物レンズ部４を所望の観察部位、例えば外耳孔等に向け、ＬＥＤ光源３４がある場合には、同光源のスイッチをオンにする。最後に、携帯電話機のディスプレーに映し出された映像を見ながら、接眼レンズ部３の焦点調整ダイヤル３２を回してピント調整をする。
【００２２】
さらに、使用者は、必要に応じて携帯電話機５を操作し、写真撮影又はビデオ録画を行い、写真又はビデオを携帯電話機５の記憶保持装置に落とし、後にパソコン等の大画面で見直すことも可能となる。
【符号の説明】
【００２３】
１      簡易型内視鏡
２      光ファイバー
３      接眼レンズ部
３１    接眼レンズ
３２    焦点調整ダイヤル
３３Ａ  装着具（吸盤）
３３Ｂ  装着具（バネ付挟み具）
３３Ｃ  装着具（鋼製スプリング）
３４    ＬＥＤ光源
３５    電池保持具
４      対物レンズ部
４１    対物レンズ
４２    支持パイプ
５      携帯電話機
５１    携帯電話機レンズ部
【図１】
0003184805.tif 000003
【図２】
0003184805.tif 000004
【図３】
0003184805.tif 000005